(57)【要約】      （修正有）【課題】飛行機内の座席テーブルに簡単に取り付けることができて、かつ軽量で知育玩具類が着脱自在な乳幼児玩具を提供する。【解決手段】飛行機内の座席テーブルに取付ける適度なサイズの長方形の生地を２枚用意し、一方を基布表地１、他方を基布裏地とし、表裏で一体の基布体とする。重ね合わせた基布表地と基布裏地との間に綿を挟み込む。基布表地において、カギの玩具、リンゴを模倣した鏡、携帯電話を模倣した玩具、お菓子を模倣した玩具等の乳幼児玩具を着脱自在に取付ける。長二辺のそれぞれにバランス良く二箇所、短二辺の真ん中にそれぞれ一箇所ベルト３の一端を、基布表地と基布裏地との間に挟み込み、ベルトの裏側先端近くに面ファスナー雄を設け、これらのベルトと対称的位置にあるベルトに面ファスナー雌を設け、座席テーブルに固定する。【選択図】図１
0003172305.tif 000002
【実用新案登録請求の範囲】
【請求項１】
飛行機内の座席テーブルに取付ける適度なサイズの長方形の生地を２枚用意し、これを重ね合わせて、一方を基布表地、他方を基布裏地とし、表裏で一体の基布体とするのであるが、基布体の長手辺の真ん中を挟んで両端との間の二つの適位置に、長さが短手辺より少し短い・幅数センチ程のベルトの一端を、基布表地と基布裏地の間に挟み込み、対向する長手辺にも対称的に同様に形成し、更に２つの短手辺の中央部にも同様のベルトの一端を同様に挟み込み、合計６本のベルトを配置し、このように各ベルトの一端を挟み込んだ基布体の周縁を、一つの長辺を除いてきれいに縫い合わせておき、この残った一つの長辺縁部は、重なり合う内側において面ファスナー雄と面ファスナー雌とを対向的に設け、２本のベルトの端部は基布裏地側に縫着し、基布体中敷出し入れ口として形成され、この基布体中敷は、基布体の中にピッタリ入る広さの綿シートにスッポリ薄い綿シートカバーを被せ、カバーの上から縦横にそれぞれ２本程の複数の縫い目を交差させて形成され、基布体中敷出し入れ口から挿入設置されるのであり、６本のそれぞれのベルトの終端（先端）の裏側（基布裏地と同じ側）には、面ファスナー雄かメンファスナー雌のいずれかを、対向するベルトと相互に対応し合うように設け、座席テーブルにしっかり固定できるように形成されており、基布表地は、そこで幼児が遊びの世界を自由に創造するスペースとして、様々な玩具類と共に、玩具が下に落ちないように保持するホルダー類等が、適所に配置されるのであるが、長方形のスペースの任意のコーナー近くに設けてあるハトメを始点として複数本のホルダー紐が基布体周縁を沿うように半周できる程の長さに設けられ、それぞれの紐にお菓子玩具類が紐を自由にスライド移動できる形で装着され、ホルダー紐の終端は複数本まとめて結び目が作ってあり、ハトメのすぐ隣りのコーナー及び対角のコーナー付近には留め具が設けてあり、長いホルダー紐がじゃまな時は基布表地の周縁に沿って整然と留めて固定しておくことができるようになっており、長方形スペースの長手方向の、ハトメの位置に対向する短手縁沿いの適所に、長さ約１ｍ程でその終端に面ファスナー式のループを形成されたホルダーリボンを、一端において面ファスナーで留め固定し、その近くに留め具を設け、ホルダーリボンを使用しない時は折りたたみ束ねて、整然と留めて固定しておけるようにしてあり、更に、空いたスペースには、カギ玩具、ケータイ玩具、リンゴ形鏡玩具等が面ファスナーで自由に付け外しできる形で配置され、又遊びで汚れた所を拭いたり、手を拭く習慣をつけたりするために、ホルダーリボンの近くなどの目に付きやすい箇所に布ティッシュケースを縫着固定し、中に入れておくティッシュ布玩具は１枚１枚を細い紐で連結し、散乱しにくく、且つお片づけし易いように形成するが、近隣座席の他のお客様の迷惑に配慮し、玩具類を含め全てのパーツを音響のない、触ってもガサガサ音をたてたりしないように、極力布製で形成するのが望ましいということを特徴とする飛行機＆新幹線等座席テーブルに取り付けるプレーマット玩具。
【請求項２】
全体として布製が望ましいのであるが、お菓子玩具類やカギ玩具等については、乳幼児の歯固めに役立つように、舐め噛みしても無害且つ適度に硬軟性があり雑音の出る心配もないシリコーンゴムのような樹脂製が望ましいことを特徴とする請求項１における飛行機＆新幹線等座席テーブルに取り付けるプレーマット玩具。
【考案の詳細な説明】
【技術分野】
【０００１】  本考案は乳幼児玩具の玩具に関するものである。
【背景技術】
【０００２】  飛行機や新幹線等で退屈する乳幼児を見かける。通常、乳幼児には個別の玩具だけを与えて遊ばせている。乳幼児用の玩具とマットを組み合わせたものとしては、折畳んで持ち運び可能なごっこ遊び用マット及びそのマットを用いたセット玩具（特許文献１参照）や、玩具付きシーツ（特許文献２参照）等が知られている。
【先行技術文献】
【特許文献】
【０００３】
【特許文献１】  登録実用新案第３０８０１９１号公報
【特許文献２】  特許公開２００５−１３４１７号公報
【考案の概要】
【考案が解決しようとする課題】
【０００４】  飛行機や新幹線等で退屈する乳幼児を見かけるが、持参してきた個別の玩具だけでは国際線など長時間のフライトや新幹線での遠距離旅行では飽きてしまうことが多い。また、玩具とマットやシーツなどと組み合わせたものでも、長距離長時間旅行中に機内や車内の座席テーブルにセッティングできるものではないので、自宅のベッドや屋外でしか利用できない。
本考案は、以上のような問題点を解決するためになされたものである。
【課題を解決するための手段】
【０００５】  飛行機内の座席テーブルに取付ける適度なサイズの長方形の生地を２枚用意し、これを重ね合わせて、一方を基布表地、他方を基布裏地とし、表裏で一体の基布体とする。
基布体の長手辺の真ん中を挟んで両端との間の二つの適位置に、長さが短手辺より少し短い・幅数センチ程のベルトの一端を、基布表地と基布裏地の間に挟み込み、対向する長手辺にも対称的に同様に形成し、更に２つの短手辺の中央部にも同様のベルトの一端を同様に挟み込み、合計６本のベルトを配置する。このように各ベルトの一端を挟み込んだ基布体の周縁を、一つの長辺を除いてきれいに縫い合わせる。
この残った一つの長辺縁部は、重なり合う内側において面ファスナー雄と面ファスナー雌とを対向的に設け、２本のベルトの端部は基布裏地側に縫着し、基布体中敷出し入れ口として形成される。
この基布体中敷は、基布体の中にピッタリ入る広さの綿シートにスッポリ薄い綿シートカバーを被せ、カバーの上から縦横にそれぞれ２本程の複数の縫い目を交差させて形成され、基布体中敷出し入れ口から挿入設置される。
６本のそれぞれのベルトの終端（先端）の裏側（基布裏地と同じ側）には、面ファスナー雄かメンファスナー雌のいずれかを、対向するベルトと相互に対応し合うように設け、座席テーブルにしっかり固定できるように形成する。
基布表地は、そこで幼児が遊びの世界を自由に創造するスペースとして、様々な玩具類と共に、玩具が下に落ちないように保持するホルダー類等が、適所に配置される。長方形のスペ−スの任意のコーナー近くに設けてあるハトメを始点として複数本のホルダー紐が基布体周縁を沿うように半周できる程の長さに設けられる。それぞれの紐にお菓子玩具類が紐を自由にスライド移動できる形で装着され、ホルダー紐の終端は複数本まとめて結び目が作ってある。ハトメのすぐ隣りのコーナー及び対角のコーナー付近には留め具が設けてあり、長いホルダー紐がじゃまな時は基布表地の周縁に沿って整然と留めて固定しておくことができるようになっている。長方形スペースの長手方向の、ハトメの位置に対向する短手縁沿いの適所に、長さ約１ｍ程でその終端に面ファスナー式のループを形成されたホルダーリボンを、一端において面ファスナーで留め固定する。その近くに留め具を設け、ホルダーリボンを使用しない時は折りたたみ束ねて、整然と留めて固定しておけるようにする。更に、空いたスペースには、カギ玩具、ケータイ玩具、リンゴ形鏡玩具等が面ファスナーで自由に付け外しできる形で配置される。また、遊びで汚れた所を拭いたり、手を拭く習慣をつけたりするために、ホルダーリボンの近くなどの目に付きやすい箇所に布ティッシュケースを縫着固定し、中に入れておくティッシュ布玩具は１枚１枚を細い紐で連結し、散乱しにくく、且つお片づけし易いように形成する。近隣座席の他のお客様の迷惑に配慮し、玩具類を含め全てのパーツを音響のない、触ってもガサガサ音をたてたりしないように、全体として布製で形成するのが望ましいが、お菓子玩具類やカギ玩具等については、乳幼児の歯固め効果に配慮し、舐め噛みしても無害且つ適度な硬軟性のあり雑音の出る心配もないシリコーンゴム等の樹脂製がより望ましい。
以上を特徴とする飛行機＆新幹線等座席テーブルに取り付けるプレーマット玩具である。
【考案の効果】
【０００６】  飛行機や新幹線等座席テーブルに簡単に取り付けることが出来る。特に国際線などの長時間のフライトでは狭い座席で少しでも乳幼児が興味を持ち、自分で楽しみを作りだして長期間遊ぶことができ、多種類の指先運動により知的発達をも促し、陽気で落ち着いた気分を長く持続することができる。お片付けも楽しい遊びの一つに融合させて習慣づける効果も期待できる。あやす保護者の方も乳幼児が落ち着いて遊んでくれると気持ちが楽になる。
【図面の簡単な説明】
【０００７】
【図１】本考案の平面図
【図２】本考案の底面図
【図３】本考案の一部であるティッシュケースの中に入れておくティッシュ布玩具のイメージ図
【図４】本考案の一部である留め具が開いた状態を示す平面図
【図５】本考案の一部であるカバーに入った面シートのイメージ図
【図６】本考案の一部である基布体中敷のイメージ図
【図７】本考案の中敷出し入れ口の図
【図８】本考案のマット上からパーツ類を取り去った状態を表す平面図
【図９】本考案の一部であるリボン終端に玩具をセット中のイメージ図
【図１０】本考案の一部であるリボン終端のループに玩具をセットした状態を表す斜視図
【考案を実施するための形態】
【０００８】  以下、本考案の実施の形態を説明する。
飛行機内の座席テーブルに取付ける適度なサイズの長方形の生地を２枚用意し、これを重ね合わせて、一方を基布表地（１）、他方を基布裏地（２）とし、表裏で一体の基布体とする。
基布体の長手辺の真ん中を挟んで両端との間の二つの適位置に、長さが短手辺より少し短い・幅数センチ程のベルト（３）の一端を、基布表地（１）と基布裏地（２）の間に挟み込み、対向する長手辺にも対称的に同様に形成し、更に２つの短手辺の中央部にも同様のベルト（３）の一端を同様に挟み込み、合計６本のベルトを配置する。このように各ベルトの一端を挟み込んだ基布体の周縁を、一つの長辺を除いてきれいに縫い合わせる。
この残った一つの長辺縁部は、重なり合う内側において面ファスナー雄（１２）と面ファスナー雌（１３）とを対向的に設け、２本のベルトの端部は基布裏地（２）側に縫着し、基布体中敷出し入れ口（７）として形成される。
この基布体中敷は、基布体の中にピッタリ入る広さの綿シート（４）にスッポリ薄い綿シートカバー（５）を被せ、綿シートカバー（５）の上から縦横にそれぞれ２本程の複数の縫い目を交差させて形成され、基布体中敷出し入れ口から挿入設置される。
６本のそれぞれのベルトの終端（先端）の裏側（基布裏地（２）と同じ側）には、面ファスナー雄（１２）かメンファスナー雌（１３）のいずれかを、対向するベルトと相互に対応し合うように設け、座席テーブルにしっかり固定できるように形成する。
基布表地（１）は、そこで幼児が遊びの世界を自由に創造するスペースとして、様々な玩具類と共に、玩具が下に落ちないように保持するホルダー類等が、適所に配置される。長方形のスペースの任意のコーナー近くに設けてあるハトメ（８）を始点として複数本のホルダー紐（９）が基布体周縁を沿うように半周できる程の長さに設けられる。それぞれの紐にお菓子玩具類（１４）がホルダー紐（９）を自由にスライド移動できる形で装着され、ホルダー紐（９）の終端は複数本まとめて結び目が作ってある。ハトメ（８）のすぐ隣りのコーナー及び対角のコーナー付近には留め具（１１）が設けてあり、長いホルダー紐（９）がじゃまな時は基布表地（１）の周縁に沿って整然と留めて固定しておくことができるようになっている。長方形スペースの長手方向の、ハトメ（８）の位置に対向する短手縁沿いの適所に、長さ約１ｍ程でその終端に面ファスナー式のループを形成されたホルダーリボン（１０）を、一端において面ファスナーで留め固定する。その近くに留め具（１１）を設け、ホルダーリボン（１０）を使用しない時は折りたたみ束ねて、整然と留めて固定しておけるようにしてある。更に、空いたスペースには、カギ玩具（１７）、ケータイ玩具（１５）、リンゴ形鏡玩具（１６）等が面ファスナーで自由に付け外しできる形で配置される。また、遊びで汚れた所を拭いたり、手を拭く習慣をつけたりするために、ホルダーリボン（１０）の近くなどの目に付きやすい箇所に布ティッシュケース（１８）を縫着固定し、中に入れておくティッシュ布玩具（１９）は１枚１枚を細い紐で連結し、散乱しにくく、且つお片づけし易いように形成する。近隣座席の他のお客様の迷惑に配慮し、玩具類を含め全てのパーツを音響のない、触ってもガサガサ音をたてたりしないように、全体として布製で形成するのが望ましいが、お菓子玩具類（１４）やカギ玩具（１７）等については、乳幼児の歯固め効果を考え、舐め噛みしても無害且つ適度な硬軟性があり雑音の出る心配もないシリコーンゴム等の樹脂製の方がより望ましい。
本考案は、以上のような構成である。
これを実際に使用する時は、飛行機や新幹線の座席テーブルにベルト（３）を巻きつけてセットし、ベルト（３）は面ファスナーでしっかり止め固定する。基布体を始め、パーツ全体が殆んど布製なので、軽くてソフトで、落としたり当たったりしても音がしたり割れたりする心配がなく、乳幼児の予測不能な扱いでも、周りに迷惑をかける心配もないので、保護者は全面的に乳幼児に委ねて使わせればよい。乳幼児は保護者の膝に座りながら手を伸ばしたところにすぐに玩具があり、座席で落ち着いて遊びに集中できる。また、予め一体にセットされているパーツだけでなく、持参して来た普段お気に入りの玩具（２０）を、ホルダーリボン（１０）先端のループに取り付ければ（［図１０］参照）、床に落ちることもなく衛生的である。ホルダー紐（９）にセットされたお菓子玩具（１４）は、乳幼児が舐めたり噛んだりして遊ぶ時に、ホルダー紐（９）伝いに自由にスライドするので、スライド自体も遊びの興味を作り出す。ケータイ玩具（１５）やリンゴ形鏡玩具（１６）、カギ玩具（１７）などの玩具は保護者が使い方を教えながら一緒に遊ぶことができるので、乳幼児は自分がこれから成長していく新しい世界への興味深い探検にもなる。カギ玩具（１７）やお菓子玩具類（１４）は口に入れて舐め噛みする時に歯固めを促進する。また時々手や口を拭く時、ティッシュ布玩具（１９）を１枚ずつ引っ張り出して拭く習慣づけも教育効果を期待でき、乳幼児には、ティッシュ布玩具（１９）が布ティッシュケース（１８）から次々と出てくる事態そのものも興味をそそられるに違いない。
洗濯するときは、［図８］に示すようにパーツを取り外し、［図７］に示ように基布体中敷取り出し口（７）を開けて基布体中敷（６）を取り出した上で、洗濯ネットに入れて洗濯すればよく、いつも清潔に保っておくことができる。
【符号の説明】
【０００９】  （１）基布表地    （２）基布裏地    （３）ベルト    （４）綿シート
（５）綿シートカバー    （６）基布体中敷    （７）基布体中敷出し入れ口
（８）ハトメ    （９）ホルダー紐    （１０）ホルダーリボン
（１１）留め具    （１２）面ファスナー雄    （１３）面ファスナー雌
（１４）お菓子玩具類    （１５）ケータイ玩具    （１６）リンゴ形鏡玩具
（１７）カギ玩具    （１８）布ティッシュケース
（１９）ティッシュ布玩具    （２０）玩具
【図１】
0003172305.tif 000003
【図２】
0003172305.tif 000004
【図３】
0003172305.tif 000005
【図４】
0003172305.tif 000006
【図５】
0003172305.tif 000007
【図６】
0003172305.tif 000008
【図７】
0003172305.tif 000009
【図８】
0003172305.tif 000010
【図９】
0003172305.tif 000011
【図１０】
0003172305.tif 000012